(57)【要約】【課題】コスト面で有利であって端子の保持力を確保することができ品質の向上を図ることができるコネクタを提供すること。【解決手段】  端子１１を保持するコネクタハウジング１２が、端子１１を収容する第１コネクタハウジング１７と、第１コネクタハウジング１７に係合される第２コネクタハウジング１８と、からなり、端子１１が、本体１３の一部にスタビライザー部１６を有し、  第１コネクタハウジング１７が、第１コネクタハウジング側係合部２３を備えるとともに、端子１１の本体１３とスタビライザー部１６とを収容する端子収容部２２を備え、  第２コネクタハウジング１８が、第１コネクタハウジング側係合部２３に係合される第２コネクタハウジング側係合部３３を備え、第１コネクタハウジング１７に端子１１を収容してから、第１コネクタハウジング１７に第２コネクタハウジング１８を係合させることで、端子１１を保持したコネクタ１０。【選択図】図１
2007317387.tif 000002
【特許請求の範囲】
【請求項１】
相手側端子に接続される電気接続部を有するとともに内部回路に電気的に接続される回路接続部を有する端子と、該端子を保持するコネクタハウジングと、を備えたコネクタであって、
前記コネクタハウジングが、前記端子を収容する第１コネクタハウジングと、該第１コネクタハウジングに係合される第２コネクタハウジングと、からなり、
前記端子が、本体の一部にスタビライザー部を有し、
前記第１コネクタハウジングが、第１コネクタハウジング側係合部を備えるとともに、前記端子の前記本体と前記スタビライザー部とを収容する端子収容部を備え、
前記第２コネクタハウジングが、前記第１コネクタハウジング側係合部に係合される第２コネクタハウジング側係合部を備え、
前記第１コネクタハウジングに前記端子を収容してから、該第１コネクタハウジングに前記第２コネクタハウジングを係合させることで該端子を保持したことを特徴とするコネクタ。
【請求項２】
前記第１コネクタハウジングと前記第２コネクタハウジングとが、ヒンジ部により開成及び閉成自在に連結されていることを特徴とする請求項１に記載したコネクタ。
【請求項３】
前記第２コネクタハウジングが、前記第１コネクタハウジングの前記端子収容部に収容されている端子を押圧可能な端子押圧部を備えていることを特徴とする請求項１または請求項２に記載したコネクタ。
【請求項４】
少なくとも前記第１コネクタハウジング及び前記第２コネクタハウジングに、相互を位置決めする位置決め部を備えていることを特徴とする請求項１〜請求項３のいずれか一項に記載したコネクタ。
【発明の詳細な説明】
【技術分野】
【０００１】
本発明は、端子をコネクタハウジング内に保持したコネクタに関する。
【背景技術】
【０００２】
端子をコネクタハウジング内に保持するコネクタとしては、端子を金型のキャビティ内に配置してキャビティ内に樹脂材料を充填させることでコネクタハウジングを成形するインサートタイプ（例えば、特許文献１参照）や、既に成形されているコネクタハウジングに端子を圧入させる圧入タイプがある。
【０００３】
図４に示すように、特許文献１に開示されたコネクタ１００は、雌ハウジング１０１に端子１０２をインサート成形により保持しており、雄ハウジング１０３が雌ハウジング１０１に内嵌されることで、雌ハウジング１０１の突起１０４が雄ハウジング１０３の突起受１０５に係合して両者が結合されるようにしている。
【０００４】
【特許文献１】実開昭６０−１８３３８０号公報
【発明の開示】
【発明が解決しようとする課題】
【０００５】
ところが、上記特許文献１に開示された従来のコネクタ１００においては、金型のキャビティ内に端子を配置して、その端子の周りを樹脂材料で被覆するために、端子を所定位置に保持し難いばかりか、金型が複雑になる虞があり、コスト面で不利になりうる。
これに対して、圧入タイプは、コネクタハウジングのみの成形になるために、上記のインサートタイプに比べてコスト面で有利ではあるが、圧入された端子の保持力を確保することが難しく、さらに、端子を圧入した際に、糸ばり等が出る虞があり、糸ばりが電気的な接続に支障をきたす虞があるために除去する必要があり、工数の増加が避けられない。
【０００６】
本発明は、上述した事情に鑑みてなされたものであり、その目的は、コスト面で有利であって端子の保持力を確保することができ品質の向上を図ることができるコネクタを提供することにある。
【課題を解決するための手段】
【０００７】
１）本発明に係るコネクタは、相手側端子に接続される電気接続部を有するとともに内部回路に電気的に接続される回路接続部を有する端子と、該端子を保持するコネクタハウジングと、を備えたコネクタであって、前記コネクタハウジングが、前記端子を収容する第１コネクタハウジングと、該第１コネクタハウジングに係合される第２コネクタハウジングと、からなり、前記端子が、本体の一部にスタビライザー部を有し、前記第１コネクタハウジングが、第１コネクタハウジング側係合部を備えるとともに、前記端子の前記本体と前記スタビライザー部とを収容する端子収容部を備え、前記第２コネクタハウジングが、前記第１コネクタハウジング側係合部に係合される第２コネクタハウジング側係合部を備え、前記第１コネクタハウジングに前記端子を収容してから、該第１コネクタハウジングに前記第２コネクタハウジングを係合させることで、該端子を保持したことを特徴とする。
【０００８】
上記１）に記載の発明によれば、第１コネクタハウジングに端子を収容して第１コネクタハウジングに第２コネクタハウジングを係合させるために、第１コネクタハウジングと第２コネクタハウジングとの係合力でもって端子を保持することができる。また、第１コネクタハウジングと第２コネクタハウジングとは、端子をインサートしないコネクタハウジングのみの成形になるために、インサート成形する場合と比べてコスト面で有利となる。そして、端子を圧入しないので、糸ばり等が出ずに工数の増加を回避することができる。これにより、コスト面で有利であって端子の保持力を確保することができ品質の向上を図ることができる。
【０００９】
また、第１コネクタハウジングの端子収容部に端子の本体とスタビライザー部とが収容されることで、端子が第１コネクタハウジングに抜け止めされて保持され、第１コネクタハウジング側係合部に第２コネクタハウジング側係合部が係合されることで、両コネクタハウジングで端子を抜け止めして保持することができる。
【００１０】
２）また、本発明に係るコネクタは、上記１）に記載のコネクタにおいて、前記第１コネクタハウジングと前記第２コネクタハウジングとが、ヒンジ部により開成及び閉成自在に連結されていることを特徴とする。
【００１１】
上記２）に記載の発明によれば、ヒンジ部を介して両コネクタハウジングを開成しておいて、端子を第１コネクタハウジングに収容し、その後に、ヒンジ部を介して両コネクタハウジングを閉成するだけで、端子を所定位置に保持できるために、極めて簡単な作業で端子の組付けを行うことができる。
【００１２】
３）また、本発明に係るコネクタは、上記１）または２）に記載のコネクタにおいて、前記第２コネクタハウジングが、前記第１コネクタハウジングの前記端子収容部に収容されている端子を押圧可能な端子押圧部を備えていることを特徴とする。
【００１３】
上記３）に記載の発明によれば、第１コネクタハウジングの端子収容部に収容された端子は、第２コネクタハウジングが係合されることで、第２コネクタハウジングの端子押圧部によって押圧保持されるために、安定した端子の保持力を確保することができる。
【００１４】
４）また、本発明に係るコネクタは、上記１）〜３）のいずれかに記載のコネクタにおいて、少なくとも前記第１コネクタハウジング及び前記第２コネクタハウジングに、相互を位置決めする位置決め部を備えていることを特徴とする。
【００１５】
上記４）に記載の発明によれば、両コネクタハウジングが係合された際に、位置決め部が両コネクタハウジング相互を位置決めするために、端子に位置ずれを生ずることがないとともに、良好な外観を創生することができる。
【発明の効果】
【００１６】
本発明のコネクタによれば、コスト面で不利になりうる、糸ばり等が出る虞があるので工数の増加が避けられない、という問題を解決でき、これにより、コスト面で有利であって端子の保持力を確保することができ品質の向上を図ることができるという効果が得られる。
【発明を実施するための最良の形態】
【００１７】
以下、本発明に係る好適な実施の形態例を図面に基づいて詳細に説明する。
【００１８】
図１は本発明のコネクタの一実施形態の開成時の正面図、図２は図１に示すコネクタの左側面図、図３は図１に示すコネクタの閉成時の左側面図である。
【００１９】
図１に示すように、本発明の一実施形態であるコネクタ１０は、複数の４個のコネクタ端子１１と、コネクタハウジング１２と、を備える。
【００２０】
コネクタ端子１１は、導電性のある金属を用いて予め定められた厚さ寸法を有して成形されており、板形状をなす本体１３の上端部が電気接続部１４になっており、Ｌ字形状に折曲された本体１３の下端部が回路接続部１５になっている。そして、コネクタ端子１１は、本体１３の中央部に本体１３の両側部に矩形に突出されたスタビライザー部１６が形成されている。
【００２１】
コネクタ端子１１は、回路接続部１５が不図示の印刷回路基板に形成されている内部回路である分配配策回路に半田付け等により電気的に接続されてから、コネクタ１０が印刷回路基板に固定されることで、印刷回路基板上に実装される。そして、相手側のコネクタがコネクタ１０に装着されることで、電気接続部１４が、相手側コネクタに収容されている相手側端子であるコネクタ端子にそれぞれ接続されて回路を形成する。
【００２２】
コネクタハウジング１２は、第１コネクタハウジング１７と、第２コネクタハウジング１８と、からなり、ヒンジ部１９を介して連結されている。コネクタハウジング１２は、若干の可撓性のある樹脂を素材として、第１コネクタハウジング１７と、第２コネクタハウジング１８と、ヒンジ部１９と、が一体成形されている。
【００２３】
第１コネクタハウジング１７は、閉成時に第２コネクタハウジング１８に当接される平面状の当接部２０の外周側が第１コネクタハウジング側フード部２１になっており、当接部２０の中央部に複数の４個の端子収容部２２が等間隔に並べて形成されている。また、第１コネクタハウジング側フード部２１の外側に一対の第１コネクタハウジング側係合部２３と、一対の外周側位置決め凹部２４と、一対の基板固定部２５と、が形成されているとともに、当接部２０の内周側に一対の内周側位置決め凹部２６が形成されている。
【００２４】
端子収容部２２は、コネクタ端子１１のスタビライザー部１６を収容するための大径のスタビライザー部収容部２７の上下にコネクタ端子１１の本体１３の中央部を収容するための小径の本体収容部２８がそれぞれ連続して形成されている。端子収容部２２は、コネクタ端子１１の厚さ寸法よりも十分に大きい深さ寸法を有するために、コネクタ端子１１を単純に落とし込むことで、スタビライザー部１６がスタビライザー部収容部２７内に、本体１３の中央部が本体収容部２８内にそれぞれ収容される。
【００２５】
第１コネクタハウジング側係合部２３は、第１コネクタハウジング側フード部２１の外側の対向位置に四角形の突起形状に形成されている。
【００２６】
外周側位置決め凹部２４は、位置決め部の一部を構成しており、第１コネクタハウジング側フード部２１の外周側の外側における対向位置にそれぞれ凹溝形状にして形成されている。
【００２７】
基板固定部２５は、ねじ孔２９を有するフランジ形状に形成されている。
【００２８】
内周側位置決め凹部２６は、位置決め部の一部を構成しており、端子収容部２２の両側の対向位置に四角形の凹孔形状にして形成されている。
【００２９】
第２コネクタハウジング１８は、閉成時に第１コネクタハウジング１７の当接部２０に当接される平面状の当接部３０の外周側が第２コネクタハウジング側フード部３１になっており、当接部３０の中央部に複数の４個の端子押圧部３２が等間隔に並べて形成されている。また、第２コネクタハウジング側フード部３１の外側に一対の第２コネクタハウジング側係合部３３と、一対の外周側位置決め凸部３４と、が形成されているとともに、当接部３０の内周側に一対の内周側位置決め凸部３５が形成されている。
【００３０】
端子押圧部３２は、第１コネクタハウジング１７の端子収容部２２に相似形状に形成されて当接部３０上にそれぞれ突出形成されており、閉成時にコネクタ端子１１のスタビライザー部１６を押圧するためのスタビライザー部押圧部３６の上下にコネクタ端子１１の本体１３の中央部を押圧するための本体押圧部３７がそれぞれ連続して形成されている。
【００３１】
第２コネクタハウジング側係合部３３は、第２コネクタハウジング側フード部３１の外側の対向位置にコ字形状にして突出形成されている。
【００３２】
外周側位置決め凸部３４は、位置決め部の一部を構成しており、第２コネクタハウジング側フード部３１の外周側の外側における対向位置に、閉成時に、第１コネクタハウジング１７の外周側位置決め凹部２４にそれぞれ内嵌される凸形状にして形成されている。
【００３３】
内周側位置決め凸部３５は、位置決め部の一部を構成しており、端子押圧部３２の両側の対向位置に、閉成時に、第１コネクタハウジング１７の内周側位置決め凹部２６にそれぞれ内嵌される四角形の凸形状にして形成されている。
【００３４】
ヒンジ部１９は、第１コネクタハウジング１７の当接部２０の端部と、第２コネクタハウジング１８の当接部３０の端部と、を連結しており、コネクタ端子１１が端子収容部２２に落とし込まれている第１コネクタハウジング１７に対して、第２コネクタハウジング１８を閉成させるために可撓される。この場合、ヒンジ部１９は、第１コネクタハウジング１７及び第２コネクタハウジング１８と同一の樹脂材料を用いて成形されているが、第１コネクタハウジング１７及び第２コネクタハウジング１８の樹脂材料よりも可撓性に富む樹脂材料をヒンジ部１９部分にのみ使用して複合樹脂製としても良い。或いは、第１コネクタハウジング１７に対する第２コネクタハウジング１８の閉成が単一回数でよい場合、第１コネクタハウジング１７及び第２コネクタハウジング１８と同様にして剛性が高く、可撓性に低い樹脂材料を用いて良く、その場合、第１コネクタハウジング１７に対する第２コネクタハウジング１８の一回の閉成動作で切断するようにできる。
【００３５】
図２に示すように、第２コネクタハウジング側係合部３３は、第２コネクタハウジング１８の当接部３０上に突出形成されており、これに対して、第１コネクタハウジング側係合部２３は、第１コネクタハウジング側フード部２１の外側に配置されているために、ヒンジ部１９を介して第２コネクタハウジング１８が第１コネクタハウジング１７に閉成されることで両係合部３３，２３が係合される。
【００３６】
端子押圧部３２は、コネクタ端子１１が落とし込まれた第１コネクタハウジング１７の端子収容部２２の残りの深さ寸法よりもわずかに大きい高さ寸法を有するために、ヒンジ部１９を介して第２コネクタハウジング１８が第１コネクタハウジング１７に閉成されることで、端子収容部２２に落とし込まれているコネクタ端子１１を端子収容部２２の底部に向けて押圧する。
【００３７】
外周側位置決め凸部３４は、ヒンジ部１９を中心として、外周側位置決め凹部２４に対向配置されているために、ヒンジ部１９を介して第２コネクタハウジング１８が第１コネクタハウジング１７に閉成されることで、外周側位置決め凹部２４に内嵌される。
【００３８】
内周側位置決め凸部３５は、ヒンジ部１９を中心として、内周側位置決め凹部２６に対向配置されているために、ヒンジ部１９を介して第２コネクタハウジング１８が第１コネクタハウジング１７に閉成されることで、内周側位置決め凹部２６に内嵌される。
【００３９】
図３に示すように、コネクタ端子１１が端子収容部２２に落とし込まれている第１コネクタハウジング１７に対し、ヒンジ部１９を介して第２コネクタハウジング１８が閉成されると、外周側位置決め凸部３４が外周側位置決め凹部２４に内嵌されていくと同時に、内周側位置決め凸部３５が内周側位置決め凹部２６に内嵌されていき、第２コネクタハウジング側係合部３３が第１コネクタハウジング側係合部２３に係合される。これにより、両係合部３３，２３が係合された両コネクタハウジング１７，１８は、両当接部２０，３０が当接され、外周側位置決め凸部３４の外周側位置決め凹部２４への内嵌と、内周側位置決め凸部３５の内周側位置決め凹部２６への内嵌と、によって位置ずれなく組み立てられる。また、端子押圧部３２が、端子収容部２２に落とし込まれているコネクタ端子１１を端子収容部２２の底部に向けて押圧するために、コネクタ端子１１が浮きや位置ずれを生ずることなく所定位置に保持される。そして、両フード部２１，３２がコネクタ端子１１の電気接続部１４の周囲を囲んで配置される。
【００４０】
以上説明したように、コネクタ１０によれば、第１コネクタハウジング１７にコネクタ端子１１を収容して第１コネクタハウジング１７に第２コネクタハウジング１８を係合させるために、第１コネクタハウジング１７と第２コネクタハウジング１８との係合力でもってコネクタ端子１１を保持することができる。また、第１コネクタハウジング１７と第２コネクタハウジング１８とは、コネクタ端子１１をインサートしないコネクタハウジングのみの成形になるために、インサート成形する場合と比べてコスト面で有利となる。そして、コネクタ端子１１を圧入しないので、糸ばり等が出ずに工数の増加を回避することができる。これにより、コスト面で有利であってコネクタ端子１１の保持力を確保することができ品質の向上を図ることができる。
【００４１】
また、コネクタ１０によれば、第１コネクタハウジング１７の端子収容部２２にコネクタ端子１１の本体１３とスタビライザー部１６とが収容されることで、コネクタ端子１１が第１コネクタハウジング１７に抜け止めされて保持され、第１コネクタハウジング側係合部２３に第２コネクタハウジング側係合部３３が係合されることで、両コネクタハウジング１７，１８でコネクタ端子１１を抜け止めして保持することができる。
【００４２】
また、コネクタ１０によれば、ヒンジ部１９を介して両コネクタハウジング１７，１８を開成しておいて、コネクタ端子１１を第１コネクタハウジング１７に収容し、その後に、ヒンジ部１９を介して両コネクタハウジング１７，１８を閉成するだけで、コネクタ端子１１を所定位置に保持できるために、極めて簡単な作業でコネクタ端子１１の組付けを行うことができる。
【００４３】
また、コネクタ１０によれば、第１コネクタハウジング１７の端子収容部２２に収容されたコネクタ端子１１は、第２コネクタハウジング１８が係合されることで、第２コネクタハウジング１８の端子押圧部３２によって押圧保持されるために、安定したコネクタ端子１１の保持力を確保することができる。
【００４４】
また、コネクタ１０によれば、両コネクタハウジング１７，１８が係合された際に、外周側位置決め凸部３４の外周側位置決め凹部２４への内嵌と、内周側位置決め凸部３５の内周側位置決め凹部２６への内嵌と、によって両コネクタハウジング１７，１８相互が位置決めされるために、コネクタ端子１１に位置ずれを生ずることがないとともに、良好な外観を創生することができる。
【００４５】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４６】
例えば、コネクタ端子の数は一例であって、単一や複数の任意の数に適用することができる。
【図面の簡単な説明】
【００４７】
【図１】本発明のコネクタの一実施形態の開成時の正面図である。
【図２】図１に示したコネクタの左側面図である。
【図３】図１に示したコネクタの閉成時の左側面図である。
【図４】従来のコネクタの断面図である。
【符号の説明】
【００４８】
１０  コネクタ
１１  コネクタ端子（端子）
１３  本体
１４  電気接続部
１５  回路接続部
１６  スタビライザー部
１７  第１コネクタハウジング（コネクタハウジング）
１８  第２コネクタハウジング（コネクタハウジング）
１９  ヒンジ部
２２  端子収容部
２３  第１コネクタハウジング側係合部
２４  外周側位置決め凹部（位置決め部）
２６  内周側位置決め凹部（位置決め部）
３２  端子押圧部
３３  第２コネクタハウジング側係合部
３４  外周側位置決め凸部（位置決め部）
３５  内周側位置決め凸部（位置決め部）
【図１】
2007317387.tif 000003
【図２】
2007317387.tif 000004
【図３】
2007317387.tif 000005
【図４】
2007317387.tif 000006